(57)【要約】【課題】遊技盤面を落下する遊技球が当たることによって、見た目に面白みのある動作を行う遊技具を提供する。【解決手段】遊技具２４は、回転支軸２８と、回転体２９とを有している。回転体２９は、たとえば板状部材からなり、その左右両側中央部からそれぞれ、回転支軸２８が左右外方へ突出している。回転体２９の表面３１には、所定の絵図３２が描かれている（たとえば、図３では鳥かごの絵図を図示）。回転体２９の裏面にも同様に、所定の絵図が描かれるようになっている。回転支軸２８は、遊技盤面に対してほぼ平行に取り付けられると共に、遊技盤面とほぼ同一の平面上に配置されるようになっている。遊技球が回転体２９に当たることによって、この回転体２９が、回転支軸２８を中心に遊技盤面に交差する方向に回転する。【選択図】　　　　　　図３
2004141520.tif 000002
【特許請求の範囲】
【請求項１】
遊技球が落下する遊技盤面に配置され、落下する遊技球により動作され得る遊技具であって、
遊技盤面に対してほぼ平行に取り付けられる回転支軸と、
回転支軸に結合され、遊技盤面を落下する遊技球が当たることによって、回転支軸を中心に回転または回動し得る回転体と、
を備えることを特徴とする遊技具。
【請求項２】
上記回転体は、板状部材を含み、
板状部材の表面および裏面に所定の絵図が描かれていて、
それが回転したとき、表面の絵図と裏面の絵図とが組み合わされて特定の絵図が表れることを特徴とする請求項１記載の遊技具。
【請求項３】
上記回転体は、落下してくる遊技球の落下方向を変化させる凹凸を有することを特徴とする請求項１または２記載の遊技具。
【発明の詳細な説明】
【０００１】
【発明の属する技術分野】
この発明は、パチンコ機やスマートボールなどの遊技盤面に配置される遊技具に関する。
【０００２】
【従来の技術】
通常、たとえばパチンコ機などの遊技機の遊技盤面には、障害釘や風車などの種々の部材が取り付けられており、この遊技盤面に向けて遊技球を発射して遊技を行うようになっている。遊技盤に向けて発射された遊技球は、これらの各部材に当たり、その落下方向が変化しながら遊技盤面を落下していく。
上記の種々の部材のうち、風車（遊技具）は、通常、表面に絵図（たとえば渦巻状の絵図）が描かれた円板の裏面中心に軸筒が突設され、この軸筒の外周面に放射状に羽根片が突設された構成である。また、この軸筒が遊技盤面に対して略垂直に回転自在に取り付けられている。この風車の羽根片に遊技盤面を落下する遊技球が当たると、円板が軸筒を中心に遊技盤面とほぼ平行な平面上を回転し、円板の表面に描かれた絵図が回転するようになっている。この絵図の回転が、遊技者の風車に対する興味をひきつける一因となっており、遊技の興趣を増大させる効果を発揮している。
【０００３】
そこで、風車の円板に描かれた絵図の回転に変化を与えて、遊技者の興味をよりひきつけることが考えられる。上記の効果を奏することができるものとして、たとえば、風車にクラッチ手段を設け、風車を一方向にのみ回転可能とするパチンコ機用風車（たとえば、特許文献１参照。）が提案されている。
また、軸筒の内周面をテーパ状に形成し、この内周に支軸を挿通することにより風車の回転に変化を持たせるパチンコ遊技機用風車（たとえば、特許文献２参照。）なども提案されている。
【０００４】
【特許文献１】
特開平６−２４６０３５号公報
【特許文献２】
特開２００１−２９５６４号公報
【０００５】
【発明が解決しようとする課題】
しかし、上記の従来技術では、遊技盤面とほぼ直交する軸筒を中心として円板が回転することに変わり無く、見た目に面白みのある動作をするものではなかった。また、円板が回転すると、遊技者にはその表面に描かれた絵図がくずれたように見えてしまうため、回転した状態で表すことができる絵図の内容が限られたものとなる。このため、絵図の回転による、遊技者の興味をひきつける効果が十分ではなかった。
【０００６】
同様の課題は、スマートボールにおける遊技具においても存在する。
この発明は、かかる背景のもとでなされたもので、遊技盤面を落下する遊技球が当たることによって、見た目に面白みのある動作を行う遊技具を提供することを目的とする。
また、この発明の他の目的は、絵図の回転により、遊技者の興味をよりひきつけることのできる遊技具を提供することである。
【０００７】
【課題を解決するための手段および発明の効果】
上記の目的を達成するための請求項１記載の発明は、遊技球が落下する遊技盤面（２１）に配置され、落下する遊技球（２３）により動作され得る遊技具（２４，７０，８０，９０）であって、遊技盤面に対してほぼ平行に取り付けられる回転支軸（２８）と、回転支軸に結合され、遊技盤面を落下する遊技球が当たることによって、回転支軸を中心に回転または回動し得る回転体（２９，７２，８２，９２）と、を備えることを特徴とする遊技具である。
【０００８】
なお、括弧内の英数字は、後述の実施形態における対応構成要素等を表す。以下、この項において同じ。
この発明によれば、落下する遊技球が回転体に当たることによって、遊技盤面に対してほぼ平行な回転支軸を中心に回転体が回転または回動する。回転支軸が遊技盤面と平行であるから、回転体の回転は遊技盤面に交差方向となり、回転方向が新鮮で、見た目に面白みのある動作を行う。したがって、遊技者の遊技具に対する興味を十分にひきつけることができ、遊技の興趣を増大することができる。
【０００９】
請求項２記載の発明は、上記回転体（２９，７２，８２，９２）は、板状部材を含み、板状部材の表面（３１，７５，８７，９４）および裏面（３３，７６，８７，９４）に所定の絵図（３２，３４）が描かれていて、それが回転したとき、表面の絵図と裏面の絵図とが組み合わされて特定の絵図（３５）が表れることを特徴とする請求項１記載の遊技具である。
この発明によれば、回転体である板状部材の表面および裏面に絵図を描くことができるため、１つの遊技具で複数の絵図を代わる代わる表示することができる。さらに、回転体が回転することにより、表面の絵図と裏面の絵図とが組み合わされて特定の絵図が表れるため、遊技具の回転または回動による見た目の面白さをより増すことができる。さらにまた、回転体を３枚羽根などのより多くの面を有する構成とすれば、より複雑な絵図の組み合わせも可能となり、見た目の面白さを一層増すことができる。これにより、遊技の興趣をより増大することができる。
【００１０】
請求項３記載の発明は、上記回転体（２９，７２，８２，９２）は、落下してくる遊技球（２３）の落下方向を変化させる凹凸（８６，９７）を有することを特徴とする請求項１または２記載の遊技具である。
この発明によれば、凹凸により、落下してくる遊技球の落下方向を変化させることができるため、遊技球の動作を面白みのあるものにすることができる。これにより、遊技の興趣をより一層増大することができる。
【００１１】
【発明の実施の形態】
以下には、図面を参照して、この発明の実施形態について具体的に説明する。図１は、この発明の第１の実施形態に係る遊技具を備えるパチンコ機１の外観構成を示す正面図であり、図２は、遊技盤２０の正面図である。図１を参照して、このパチンコ機１は、正面に前扉２を備えている。この前扉２は、当該パチンコ機１における遊技の雰囲気を盛り上げるためのランプＬなどを保持している。また、前扉２にはほぼ円形の開口３が形成されている。この開口３を塞ぐ透明板４（たとえばガラス板）を通して、透明板４の後方に設けられた遊技盤２０の遊技領域Ａ（図２参照）を視認できるようになっている。
【００１２】
図１を参照して、前扉２の下方には球皿５が設けられていて、遊技に使用する遊技球を貯留できるようになっている。球皿５の右下隅には、ハンドル６が配設されている。球皿５に遊技球が貯留された状態で、遊技者がハンドル６を操作すると、発射装置（図示せず）により遊技球が発射されるようになっている。これにより、遊技盤２０に向けて遊技球が発射され、遊技が実行される。
図２を参照して、遊技盤２０は、ガイドレール２２と、遊技具２４とを備えている。ガイドレール２２は、遊技盤面２１にほぼ円弧状に配置され、遊技球２３が落下し得る遊技領域Ａを区画している。遊技具２４は、遊技領域Ａの遊技盤面２１に、たとえば２個（本実施形態では、たとえば遊技盤面２１のほぼ中央部の左右両側）配置されている。また、各遊技具２４は、それぞれ遊技盤面２１の左右方向とほぼ平行に取り付けられている。これらの各遊技具２４は、落下する遊技球２３が当たることによって、個別に動作され得るようになっている。また、遊技領域Ａには、たとえば、多数本の障害釘２５が打設されている。
【００１３】
発射装置により遊技盤２０の下方から発射された遊技球２３は、ガイドレール２２に案内されて遊技領域Ａの上部へ導かれる。遊技領域Ａの上部へ導かれた遊技球２３は、多数本の障害釘２５の間を通って、水平面に対して鉛直な、または、傾いている遊技盤面２１を落下していく。
なお、各遊技具２４は、この実施形態に示す配置位置に限らず、たとえば、遊技領域Ａの遊技盤面２１の上部にそれぞれ配置されていても良い。また、遊技具２４を遊技盤面２１に２個配置する構成として説明しているが、１個、または、３個以上配置する構成であっても良い。さらに、遊技具２４は、遊技盤面２１の左右方向に対して傾いて取り付けられる構成であっても良い。つまり、遊技具２４の個数、配置位置、および、配置方向は制限されない。
【００１４】
図３は、遊技具２４の斜視図であり、図４は、遊技具２４の正面図である。図３を参照して、遊技具２４は、回転支軸２８と、回転体２９とを有している。回転体２９は、たとえば板状部材からなり、その左右両側中央部からそれぞれ、回転支軸２８が左右外方へ突出している。
回転体２９の表面３１には、所定の絵図３２が描かれている（たとえば、図３では鳥かごの絵図を図示）。図４を参照して、回転体２９の裏面３３にも、所定の絵図３４が描かれている（たとえば、図４では鳥の絵図を図示）。
【００１５】
図５は、回転体２９が回転支軸２８を中心に回転した状態を示す正面図である。図５を参照して、回転体２９が、回転支軸２８を中心に（紙面と交差する回転方向Ｒに）回転したとき、表面３１の絵図３２と、裏面３３の絵図３４とが組み合わされて見える。これにより、特定の絵図３５（たとえば、図５では鳥かごに収容されている鳥の絵図を図示）が表れる。
図３を参照して、回転体２９の下辺側は、表面側へ折り曲げられている。回転体２９の上辺側は、裏面側へ折り曲げられている。これにより、回転体２９が、落下してくる遊技球２３を受け易くなっている。
【００１６】
図６は、ケーシング２７の斜視図である。図６を参照して、ケーシング２７は、図３〜５で説明した遊技具２４を保持し、図２に示す遊技盤面２１に取り付けるためのものである。図６を参照して、このケーシング２７には、正面形状が矩形で、縦断面形状が半円弧状の窪み３８が形成されている。また、窪み３８の左右両側面の中央部の手前側には、一対の保持孔４１が形成されている。各保持孔４１は、同一の軸線上に形成されている。この軸線は、ケーシング２７の表面とほぼ平行である。各保持孔４１は、遊技具２４の回転支軸２８をそれぞれ回転自在に保持するようになっている。
【００１７】
図７は、回転支軸２８が保持孔４１に取り付けられた状態を示す斜視図である。図７を参照して、各回転支軸２８が、対応する保持孔４１にそれぞれ挿通され保持されている。また、回転体２９の、回転支軸２８の後方へ回る部分は、ケーシング２７の窪み３８を通り、回転が妨げられない。これにより、回転体２９が、回転支軸２８を中心に回転可能となっている。ケーシング２７の裏面には、ケーシング２７を遊技盤に取り付ける際に用いる係合片４３，４４が、奥側に向けてたとえば板状に突設されている。
【００１８】
なお、この実施形態では、遊技具２４とケーシング２７とに分けて説明するが、ケーシング２７を含めて遊技具と呼ぶこともできる。
図８は、図２のＢ−Ｂ線に沿う断面図であり、遊技具２４がケーシング２７を介して遊技盤面２１に配置された状態を示している。図８を参照して、遊技盤２０には、ケーシング２７を嵌め込むための開口４０が形成されている。開口４０の内周面は、ケーシング２７の係合片４３の上端面、および、係合片４４の下端面と係合している。これにより、ケーシング２７が遊技盤２０に取り付けられている。
【００１９】
取り付けられた状態では、ケーシング２７の表面と、遊技盤面２１とがほぼ平行であり、回転支軸２８が、遊技盤面２１に対してほぼ平行になっている。
また、回転支軸２８は、遊技盤面２１とほぼ同一の平面上に配置されている。遊技球２３は、遊技盤面２１の手前側になっているほうの回転体２９に当たるようになっている。
また、回転体２９の一部を遊技盤２０の開口４０に収容することで、回転体２９の縦方向の長さをより長くしている。これにより、遊技盤面２１と、透明板４の裏面との間隔が比較的狭い（たとえば本実施形態においては、約２０ｍｍ）場合でも、回転体２９の縦方向の長さを十分に確保することができる。
【００２０】
以上の構成により、遊技盤面２１を黒塗り矢符方向に落下する遊技球２３が、回転体２９に当たることによって、この回転体２９が、回転支軸２８を中心に白抜き矢符方向（図８において反時計回り方向）に回転する。
回転支軸２８が遊技盤面２１とほぼ平行であるから、回転体２９の回転は遊技盤面２１に交差方向となり、回転方向が新鮮で、見た目に面白みのある動作を行う。したがって、遊技者の遊技具２４に対する興味を十分にひきつけることができ、遊技の興趣を増大することができる。
【００２１】
また、回転体２９である板状部材の表面３１および裏面３３に、絵図３２および３４を描くことができるため、１つの遊技具２４で複数の絵図３２および３４を代わる代わる表示することができる。さらに、回転体２９が回転支軸２８を中心に回転することにより、表面３１の絵図３２と裏面３３の絵図３４とが組み合わされて特定の絵図３５が表れる。このため、遊技具２４の回転による見た目の面白さをより増すことができる。これにより、遊技の興趣をより増大することができる。
【００２２】
図９は、この発明の第２の実施形態にかかる遊技具７０の斜視図である。この実施形態において、図１〜８に示す第１の実施形態と同様の構成には図に同一符号を付して、その説明を省略する。この実施形態において第１の実施形態と異なるのは、図３に示す板状部材からなる回転体２９に代えて、図９に示すように、たとえば３枚の板状部材７１を有する回転体７２が、回転支軸２８に結合されている点である。
【００２３】
各板状部材７１は、右側または左側から見て、回転支軸２８の軸線を中心として放射状に延びており、回転支軸２８の回転方向に沿ってほぼ等間隔に配置されている。また、回転体７２の表面７５、裏面７６、および、下面７７には、所定の絵図がそれぞれ描かれるようになっている。
この実施形態によれば、落下する遊技球２３が回転体７２に当たることによって、遊技盤面２１に対してほぼ平行な回転支軸２８を中心に回転体７２が回転する。回転支軸２８が遊技盤面２１とほぼ平行であるから、回転体７２の回転は遊技盤面２１に交差方向となり、回転方向が新鮮で、見た目に面白みのある動作を行う。したがって、第１の実施形態と同様に、遊技者の遊技具７０に対する興味を十分にひきつけることができ、遊技の興趣を増大することができる。
【００２４】
また、回転体７２の表面７５、裏面７６、および、下面７７にそれぞれ絵図を描くことができるため、１つの遊技具７０で第１の実施形態よりさらに多くの絵図を代わる代わる表示することができる。さらに、回転体７２が回転支軸２８を中心に回転することにより、表面７５、裏面７６、および、下面７７に描かれた各絵図がより複雑に組み合わされて特定の絵図が表れる。このため、遊技具７０の回転による見た目の面白さを、第１の実施形態より一層増すことができ、遊技の興趣をより増大することができる。
【００２５】
図１０は、この発明の第３の実施形態にかかる遊技具８０の斜視図である。この実施形態において、図１〜８に示す第１の実施形態と同様の構成には図に同一符号を付して、その説明を省略する。この実施形態において、第１の実施形態と異なるのは、図３に示す板状部材からなる回転体２９に代えて、図１０に示すように、クランク形形状の部材からなる回転体８２が、回転支軸２８に結合されている点である。
【００２６】
回転体８２は、右側または左側から見て、回転支軸２８を中心にほぼ点対称の形状をなしており、回転支軸２８と結合されるアーム部８４と、アーム部８４の両端部から延びる一対の球受部８５とを含んでいる。各球受部８５は、右側または左側から見て、アーム部８４とほぼ直交して互いに反対の方向に延びており、落下してくる遊技球２３と当たることができるようになっている。
各球受部８５の遊技球２３と当たるほうの面には、凹凸８６がそれぞれ形成されている。各凹凸８６の何れかに当たることで、落下してくる遊技球２３の落下方向が変化する。また、回転支軸２８を中心として回転体８２が回転したときに、その正面となるそれぞれの面８７に、所定の絵図が描かれるようになっている。
【００２７】
この実施形態によれば、落下する遊技球２３が球受部８５に当たることによって、遊技盤面２１に対してほぼ平行な回転支軸２８を中心に回転体８２が回転する。回転支軸２８が遊技盤面２１とほぼ平行であるから、回転体８２の回転は遊技盤面２１に交差方向となり、回転方向が新鮮で、見た目に面白みのある動作を行う。したがって、第１および第２の実施形態と同様に、遊技者の遊技具８０に対する興味を十分にひきつけることができ、遊技の興趣を増大することができる。
【００２８】
また、回転体８２が回転したときに正面となる複数の面８７に絵図をそれぞれ描くことができるため、１つの遊技具８０で第１の実施形態より多くの絵図を代わる代わる表示することができる。さらに、回転体８２が回転支軸２８を中心に回転することにより、複数の面８７の各絵図がより複雑に組み合わされて特定の絵図が表れる。このため、第２の実施形態と同様に、遊技具８０の回転による見た目の面白さをより増すことができ、遊技の興趣をより増大することができる。
【００２９】
さらに、凹凸８６により、落下してくる遊技球２３の落下方向を変化させることができるため、遊技球２３の動作を面白みのあるものにすることができる。これにより、遊技の興趣をより一層増大することができる。
図１１は、この発明の第４の実施形態にかかる遊技具９０の斜視図であり、図１２は、遊技具９０の断面正面図である。この実施形態において、図１〜８に示す第１の実施形態と同様の構成には図に同一符号を付して、その説明を省略する。この実施形態において、第１の実施形態と異なるのは、図３に示す板状部材からなる回転体２９に代えて、図１１および図１２に示すように、凹凸を有する円柱部材からなる回転体９２が、回転支軸２８に結合されている点である。
【００３０】
回転体９２には、その径方向外方へ張り出した大径部９５と、大径部９５より小さい直径を有する小径部９６とが、回転支軸２８の軸線方向に交互に形成されている。これにより、回転体９２の外周面９４に凹凸９７が形成されている。この凹凸９７に当たることで、落下してくる遊技球２３の落下方向が変化する。また、回転体９２の外周面９４には、所定の絵図が、回転支軸２８を中心とする回転方向に沿って複数描かれるようになっている。
【００３１】
この実施形態によれば、落下する遊技球２３が回転体９２に当たることによって、遊技盤面２１に対してほぼ平行な回転支軸２８を中心に回転体９２が回転する。回転支軸２８が遊技盤面２１とほぼ平行であるから、回転体９２の回転は遊技盤面２１に交差方向となり、回転方向が新鮮で、見た目に面白みのある動作を行う。したがって、第１〜第３の実施形態と同様に、遊技者の遊技具９０に対する興味を十分にひきつけることができ、遊技の興趣を増大することができる。
【００３２】
また、回転体９２の外周面９４に複数の絵図を描くことができるため、１つの遊技具９０で複数の絵図を代わる代わる表示することができる。さらに、回転体９２が回転支軸２８を中心に回転することにより、外周面９４に描かれた複数の絵図が組み合わされて特定の絵図が表れる。このため、第１〜第３の実施形態と同様に、遊技具９０の回転による見た目の面白さをより増すことができる。これにより、遊技の興趣をより増大することができる。
【００３３】
さらに、凹凸９７により、落下してくる遊技球２３の落下方向を変化させることができるため、第３の実施形態と同様に、遊技球２３の動作を面白みのあるものにすることができる。これにより、遊技の興趣をより一層増大することができる。
なお、上記各実施形態において、回転体２９，７２，８２および９２と、回転支軸２８とは、一体に形成されていても良いし、別体に形成されていても良い。また、回転体２９，７２，８２および９２と、回転支軸２８とは、それぞれ一体回転可能に結合されていても良いし、相対回転可能に結合されていても良い。
【００３４】
この発明は、上記各実施形態の内容に限定されるものではなく、請求項記載の範囲内において種々の変更が可能である。
たとえば、上記各実施形態において、回転支軸２８が、回転体２９，７２，８２および９２の左右両側からそれぞれ突出する構成を説明したが、回転体２９，７２，８２および９２の左側、または、右側のみから突出していても良い。
また、各遊技具２４，７０，８０、および、９０を、ケーシング２７を介さず、直接遊技盤面２１に配置しても良い。
【００３５】
さらに、第４の実施形態において、回転体９２の外周面９４に突起を設けて、落下してくる遊技球２３をより受け易くしても良い。
また、この発明のいくつかの実施形態として、パチンコ機の遊技盤面に配置される遊技具について説明したが、この発明はパチンコ機の遊技盤面に限らず、スマートボールなどの他の遊技機の遊技盤面にも適用可能である。
【図面の簡単な説明】
【図１】この発明の第１の実施形態に係る遊技具を備えるパチンコ機の外観構成を示す正面図である。
【図２】遊技盤の正面図である。
【図３】遊技具の斜視図である。
【図４】遊技具の正面図である。
【図５】回転体が回転支軸を中心に回転した状態を示す正面図である。
【図６】ケーシングの斜視図である。
【図７】回転支軸が保持孔に取り付けられた状態を示す斜視図である。
【図８】図２のＢ−Ｂ線に沿う断面図であり、遊技具がケーシングを介して遊技盤面に配置された状態を示している。
【図９】この発明の第２の実施形態にかかる遊技具の斜視図である。
【図１０】この発明の第３の実施形態にかかる遊技具の斜視図である。
【図１１】この発明の第４の実施形態にかかる遊技具の斜視図である。
【図１２】遊技具の断面正面図である。
【符号の説明】
２４　遊技具
２８　回転支軸
２９　回転体
３２　絵図
３４　絵図
３５　特定の絵図
７０　遊技具
７２　回転体
８０　遊技具
８２　回転体
８６　凹凸
９０　遊技具
９２　回転体
９７　凹凸
【図１】
2004141520.tif 000003
【図２】
2004141520.tif 000004
【図３】
2004141520.tif 000005
【図４】
2004141520.tif 000006
【図５】
2004141520.tif 000007
【図６】
2004141520.tif 000008
【図７】
2004141520.tif 000009
【図８】
2004141520.tif 000010
【図９】
2004141520.tif 000011
【図１０】
2004141520.tif 000012
【図１１】
2004141520.tif 000013
【図１２】
2004141520.tif 000014